(57)【要約】【課題】排液・排気性に優れたドレーンカテーテルを提供する。【解決手段】本発明は、筒状の排液部と、前記排液部の先端側に連結され、少なくとも一部が湾曲する湾曲部を有する筒状の集液部と、を備え、前記集液部は、軸方向の少なくとも一部において、複数の流路を形成するための少なくとも１つの隔壁が設けられた分岐領域を有し、前記集液部の分岐領域の内部空間は、前記隔壁により、当該集液部の全長に渡って延びる少なくとも一つの主流路と、少なくとも一つの副流路と、に仕切られ、前記主流路及び副流路は、前記排液部の内部空間とそれぞれ連通し、前記主流路の軸方向の先端部は、前記集液部の先端に形成された先端開口を介して外部に開口し、前記各副流路は、前記分岐領域の外周面に形成された周面開口を介して外部に開口している。【選択図】図２
2014200529.tif 000002
【特許請求の範囲】
【請求項１】
筒状の排液部と、
前記排液部の先端側に連結され、少なくとも一部が湾曲する湾曲部を有する筒状の集液部と、
を備え、
前記集液部は、軸方向の少なくとも一部において、複数の流路を形成するための少なくとも１つの隔壁が設けられた分岐領域を有し、
前記集液部の分岐領域の内部空間は、前記隔壁により、当該集液部の全長に渡って延びる少なくとも一つの主流路と、少なくとも一つの副流路と、に仕切られ、
前記主流路及び副流路は、前記排液部の内部空間とそれぞれ連通し、
前記主流路の軸方向の先端部は、前記集液部の先端に形成された先端開口を介して外部に開口し、
前記各副流路は、前記分岐領域の外周面に形成された周面開口を介して外部に開口している、ドレーンカテーテル。
【請求項２】
前記集液部は、前記湾曲部に連結され、直線状に延びる少なくとも１つのストレート部を有しており、当該ストレート部に前記周面開口が形成されている、請求項１に記載のドレーンカテーテル。
【請求項３】
前記ストレート部は、前記排液部と前記湾曲部との間に配置されている、請求項２に記載のドレーンカテーテル。
【請求項４】
前記ストレート部は、前記湾曲部よりも先端側に配置されている、請求項２または３に記載のドレーンカテーテル。
【請求項５】
前記周面開口は、前記集液部の軸方向に沿って延びるスリット状に形成されている、請求項１から４のいずれかに記載のドレーンカテーテル。
【請求項６】
前記副流路の軸方向の先端部は、前記集液部の内部において前記主流路と連通している、請求項１から５のいずれかに記載のドレーンカテーテル。
【請求項７】
前記周面開口は、前記湾曲部の内面側に形成されている、請求項１から６のいずれかに記載のドレーンカテーテル。
【請求項８】
前記副流路が２つ設けられている、請求項１から７のいずれかに記載のドレーンカテーテル。
【発明の詳細な説明】
【技術分野】
【０００１】
本発明は、ドレーンカテーテルに関する。
【背景技術】
【０００２】
医療分野においてドレナージとは排液のことであり、血液・膿・滲出液・消化液・空気等を患者の体外に排出させるものである。ドレナージのために挿入する医療用チューブをドレーンカテーテルといい、診療科によって、種々のドレーンカテーテルが利用されている。
【０００３】
しかしながら、従来のドレーンカテーテルでは、側孔及び先端孔によって吸引がなされるため、軟部組織である臓器等を吸引してしまい、これが側孔等に密着することがあった。更には先端の密着により穿孔等の有害事象が生じることもあった。これに対して、例えば、特許文献１に開示されたカテーテルでは、先端部を湾曲させた、いわゆるピッグテイルを設け、このピッグテイルの外周面に長手方向に延びる側孔を設けている。これにより、組織への密着を防いでいる。
【先行技術文献】
【特許文献】
【０００４】
【特許文献１】実開平５−７６４４８
【発明の概要】
【発明が解決しようとする課題】
【０００５】
しかしながら、上記のようなカテーテルは、ピッグテイルを有するものの、その性能は十分とは言い難い。例えば、上記カテーテルでは、側孔及び先端の開口流路が１つの流路に接続されているため、この流路が塞がれると、排液や排気ができなくなるという問題がある。
【０００６】
本発明は、上記課題を鑑みてなされたものであり、排液・排気性に優れたドレーンカテーテルを提供することを目的とする。
【課題を解決するための手段】
【０００７】
本発明に係るドレーンカテーテルは、筒状の排液部と、前記排液部の先端側に連結され、少なくとも一部が湾曲する湾曲部を有する筒状の集液部と、を備え、前記集液部は、軸方向の少なくとも一部において、複数の流路を形成するための少なくとも１つの隔壁が設けられた分岐領域を有し、前記集液部の分岐領域の内部空間は、前記隔壁により、当該集液部の全長に渡って延びる少なくとも一つの主流路と、少なくとも一つの副流路と、に仕切られ、前記主流路及び副流路は、前記排液部の内部空間とそれぞれ連通し、前記主流路の軸方向の先端部は、前記集液部の先端に形成された先端開口を介して外部に開口し、前記各副流路は、前記分岐領域の外周面に形成された周面開口を介して外部に開口している。
【０００８】
本発明に係るドレーンカテーテルは、軟部組織に穿孔が形成されるのを防止するために、集液部に湾曲部が形成されたものである。本発明によれば、集液部に複数の流路が形成され、これら流路のそれぞれには外部への開口が形成されているため、１つの流路が軟部組織を吸引して塞がれたとしても、他の流路からの吸引が可能であるため、排液不良及び排気不良を防止することができる。なお、周面開口は、分岐領域における主流路と連通する部分、あるいは分岐領域以外の集液部のいずれかに設けることもできる。
【０００９】
また、集液部には主流路と副流路とを仕切る隔壁が形成されているため、集液部の外形を内部から補強することができる。したがって、このドレーンカテーテルが折り曲げられたときのキンクを防止することができる。
【００１０】
上記ドレーンカテーテルの集液部には、いずれの位置に周面開口を設けることができる。すなわち、湾曲部に周面開口を設けることもできる。その他、集液部には、前記湾曲部に連結され、直線状に延びる少なくとも１つのストレート部を設けることができ、このストレート部に前記周面開口を形成することができる。このように、周面開口をストレート部に形成すると、湾曲部に形成される場合に比べ、開口の形状が変形しがたい。すなわち、例えば、湾曲部に開口が形成されると、湾曲部の径が変化するような外力が加わったときに、開口が変形しやすいが、ストレート部に周面開口を形成すると、外力による変形を防止することができるため、より安定的な吸引が可能となる。
【００１１】
上記ドレーンカテーテルにおいて、前記ストレート部の位置は特には限定されないが、前記排液部と前記湾曲部との間に配置することができる。
【００１２】
あるいは、上記ドレーンカテーテルにおいて、前記ストレート部は、前記湾曲部よりも先端側に配置することができる。ストレート部を２箇所に設けることもでき、この場合には、前記排液部と前記湾曲部との間、及び前記湾曲部よりも先端側の２箇所に設けることができる。
【００１３】
上記ドレーンカテーテルにおいて、上記集液部の周面開口は、種々の形状にすることができるが、例えば、集液部の軸方向に沿って延びるスリット状に形成することができる。これにより、吸引面積を拡大することができる。
【００１４】
前記副流路の軸方向の先端部は、前記集液部の内部において終端させることができる。
【００１５】
あるいは、前記副流路の軸方向の先端部を、前記集液部の内部において前記主流路と連通させることもできる。このようにすると、分岐領域において、主流路が閉鎖された場合、副流路を通じて、先端開口からの排液が可能となる。
【００１６】
上記ドレーンカテーテルにおいて、前記周面開口は、前記湾曲部の内面側に形成することができる。
【００１７】
上記ドレーンカテーテルにおいては、前記副流路の数は特には限定されないが、例えば、２つ設けることができる。
【発明の効果】
【００１８】
本発明に係るドレーンカテーテルによれば、排液・排気性を向上することができる。
【図面の簡単な説明】
【００１９】
【図１】本発明のドレーンカテーテルの一実施形態を示す斜視図である。
【図２】図１の側面図である。
【図３】図２におけるＡ−Ａ線断面図である。
【図４】図２におけるＢ−Ｂ線断面図である。
【図５】図２におけるＣ−Ｃ線断面図である。
【図６】図２におけるＤ−Ｄ線断面図である。
【図７】図２に示すドレーンカテーテルの他の例を示す一部側面図である。
【図８】図２に示すドレーンカテーテルの他の例を示す側面図である。
【図９】図２に示すドレーンカテーテルの他の例を示す側面図である。
【図１０】ドレーンカテーテルの断面の他の例を示す図である。
【発明を実施するための形態】
【００２０】
＜１．ドレーンカテーテルの構造＞
以下、本発明に係るドレーンカテーテルの一実施形態について、図面を参照しつつ説明する。図１は本実施形態に係るドレーンカテーテルの斜視図、図２は図１の側面図である。なお、以下の説明では、図２における左側を先端側または前側、右側を基端側または後側と称し、これを基準に他の図面の説明も行うこととする。また、ドレーンカテーテルの断面の中心を通る線を軸心Ｘとする。
【００２１】
図１及び図２に示すように、このドレーンカテーテルは外周部分が略円周状に形成された、長尺状に延びる成形体から構成されている。具体的には、基端側から先端側へ向かって、ハブ１、排液部２および集液部３が、この順で連結されることにより構成されている。これらの部材１，２，３の接合は接着、熱融着などにより行われる。また、集液部３は、直線状に延びるストレート部３１と、一部が湾曲する湾曲部３２とで構成されている。以下、各部位について説明する。
【００２２】
ハブ１は、ドレーンカテーテルの最後尾に設けられており、硬質の樹脂材料によって円筒状に形成されている。そして、ハブ１の基端部側は、後述するように、吸引器具（図示省略）と着脱可能に連結されるようになっている。具体的には、ハブ１の後端部の周縁部には、軸心Ｘを挟んで径方向外方に突出する一対の突起１１が形成されている。そして、この突起１１が、吸引器具にねじ込まれるようになっている。
【００２３】
次に、排液部２及び集液部３について、図３〜図５も参照しつつ説明する。図３は図２のＡ−Ａ線断面図、図４は図２のＢ−Ｂ線断面図、図５は図２のＣ−Ｃ線断面図である。図１〜図３に示すように、ハブ１の先端側には筒状の排液部２が取り付けられている。排液部２は、透明の可撓性のある樹脂材料で形成され、ドレーンカテーテルの大部分の長さを占めている。図３に示すように、排液部２の内部空間２０の断面形状は円形となっている。そして、この排液部２の先端側の端部には、集液部３が連結されている。
【００２４】
集液部３は、排液部２の先端側に連結され直線状に延びるストレート部３１と、その先端側に連結された湾曲部３２とで構成されており、透明あるいは白などに着色された可撓性のある樹脂材料で形成されている。図４に示すように、ストレート部３１は、排液部２とほぼ同じ外径を有しており、ストレート部３１の外周面には、内部と連通する２つのスリット（周面開口）３３ａ，３３ｂが形成されている。各スリット３３ａ，３３ｂは、軸方向に延びるとともに、周方向に所定の間隔をおいて形成されている。なお、スリットの数は特に限定されるものではないが、スリットの数が多くなると分岐する流路の数が増加し、その結果として同径の場合、流路が狭くなる。したがって、スリットの数は、２〜６が好ましく、２〜４であることがさらに好ましく、２とすることが特に好ましい。
【００２５】
ストレート部３１の内部は、３つの隔壁によって仕切られ、軸方向に延びる３つの流路を有している。より詳細には、３つの隔壁、つまり第１，第２及び第３隔壁３４ａ，３４ｂ，３４ｃは、ストレート部３１の軸心Ｘから径方向外方に延び、ストレート部３１の内壁面に連結されている。各隔壁３４ａ，３４ｂ，３４ｃは約１２０度の角度をなして連結されており、これによって、ストレート部３１の内部には、ほぼ同等の大きさの断面扇形の３つの流路が形成されている。以下、これらを第１，第２及び第３流路３５ａ，３５ｂ，３５ｃと称することとする。また、これら３つの流路３５ａ，３５ｂ，３５ｃの基端側は、排液部２の内部空間２０と連通している。そして、これら３つの流路３５ａ，３５ｂ，３５ｃのうち、第１及び第２流路３５ａ，３５ｂに対応するストレート部３１の外周面には、上述したスリット３３ａ，３３ｂがそれぞれ形成されている。すなわち、スリット３３ａが第１流路３５ａと連通し、スリット３３ｂが第２流路３５ｂと連通している。
【００２６】
ストレート部３１の先端側には、筒状の湾曲部３２が一体的に形成されている。上述したように、３つの流路３５ａ，３５ｂ，３５ｃの基端側は、排液部２の内部空間２０と連通しているが、３つの流路３５ａ，３５ｂ，３５ｃのうち、第３流路３５ｃの先端側のみが湾曲部３２と連通している。一方、第１及び第２流路３５ａ，３５ｂは、ストレート部３１の先端付近で終端しており、湾曲部３２と連通しておらず、外部にも開放していない。
【００２７】
図１及び図２に示すように、湾曲部３２は、ストレート部３１の先端からＵ字型に湾曲し、先端側が直線状にカテーテルの基端側へ延びている。図５に示すように、湾曲部３２の内部空間３０の断面形状は円形となっている。そして、湾曲部３２の先端部はテーパー状に形成されるとともに、先端に先端開口３６が形成されている。この先端開口３６は、湾曲部３２の内部空間３０と連通している。すなわち、上述したストレート部３１の第３流路３５ｃが、湾曲部３２の内部空間３０を介して、先端開口３６と連通している。
【００２８】
また、図２に示すように、湾曲部３２の外周面において、基端部側を向く面（曲率半径の小さい内面）には、複数の側孔３７が形成されている。各側孔３７は円形状に形成されており、軸心Ｘに沿って所定間隔をおいて一列に形成されている。そして、これら側孔３７は、湾曲部３２の内部空間３０に連通している。
【００２９】
図１〜図５に示すように、ドレーンカテーテルの排液部２から集液部３の先端付近までの外周面あるいは内壁面には、Ｘ線を通さない不透過性材料からなる線状の目印８が設けられている。この目印８は、軸方向に沿って延びており、ストレート部３１の第３流路３５ｃの位置を認識するために利用されるほか、ドレーンカテーテルを患者の体内に留置したときにＸ線照射により所定の確認操作を行う際に造影用の目印としても利用される。なお、この目印８を設ける場所は特には限定されず、必要に応じてスリット３３ａ，３３ｂの流路を認識することができるような位置に設けることもできる。目印８をドレーンカテーテルの内壁面に設ける場合には、外部から視認できるようにするため、その部分を透明の材料で形成しておく必要がある。
【００３０】
上述したドレーンカテーテルの排液部２、集液部３の材質は、体内、特に血管内に留置して安全な弾性のある材料であればよい。そのような材料としては、例えば、ポリウレタン、シリコーン、ポリ塩化ビニル、ポリブタジエン、ポリアミド、エチレン-酢酸ビニル共重合体等を挙げることができるが、体外では硬度を保ち体内で柔軟性をもつ性質をもつポリウレタンを用いることが好ましい。このような柔軟性を有する材料で形成することで、集液部３の湾曲部３２は、柔軟に変形し、例えば、直線状の先端部付近も湾曲させることができる（図２の破線参照）。また、後述するセルジンガー法でカテーテルを挿入する際には、湾曲部３２が直線状になるまで変形させることができる。
【００３１】
また、ドレーンカテーテルは、留置中に血液と接触して血栓が形成されるのを防ぐために、抗血栓処理が施されていてもよい。抗血栓処理はウロキナーゼ等のプラスミノーゲンアクチベーターを化学結合法により基材のカテーテル表面に固定化する方法（詳細は、特許第１４０６８３０号公報参照）、ヘパリン等の抗凝固因子をカテーテル表面に固定化する方法等様々な方法が開発されているが、特定の方法に限定されるものではない。また、抗血栓処理の範囲は生体内と接触する部分であれば、ドレーンカテーテルの内面、外面またはその両方であってもよい。
【００３２】
さらに、上記ドレーンカテーテルは、皮下組織または血管への挿入を容易にするために基材表面を親水性高分子化合物でコーティングするなどの潤滑性処理が施されているもの（例えば、特開平１０−２４８９１９号公報参照）であってもよい。潤滑性処理する方法は多くの方法が開発されているが、特にどの方法を選択しても良い。また、潤滑性処理の範囲は人体に接触する部分、またはカテーテルを留置する用具等に接触する部分であれば特にどの部分であってもよい。
【００３３】
このドレーンカテーテルは種々の長さにすることができるが、例えば、全長を、約５０〜５００ｍｍ、好ましくは１００〜３００ｍｍとすることができる。このうち、集液部３は、１０〜３００ｍｍ、好ましくは１５〜２００、より好ましくは２０〜１００ｍｍとすることができる。また、ドレーンカテーテルの外径は、約１〜１０ｍｍ、より好ましくは２〜６ｍｍ、更に好ましくは２〜４ｍｍに設定することができる。排液部２の内径は、外径の９０％〜３０％、好ましくは７０％〜５０％に設定することができる。
【００３４】
＜２．ドレーンカテーテルの使用方法＞
次に、上記のように構成されたドレーンカテーテルの使用方法について説明する。まず、ドレーンカテーテルの刺入部位に局所麻酔を行い、これに続いて、セルジンガー法にてドレーンカテーテルを目的部位に留置する。具体的には、金属穿刺針を目的部位に穿刺し、この金属穿刺針にガイドワイヤーを挿入する。そして、ガイドワイヤーを目的部位に留置した後、金属穿刺針を抜去する。このとき、金属穿刺針の代わりにプラスチックカニューラ付穿刺針を用いることができる。この場合には、プラスチックカニューラ付穿刺針を目的部位に穿刺した後、内針を抜去する。これに続いて、カニューラにガイドワイヤーを挿入し、ガイドワイヤーを目的部位に留置した後、カニューラを抜去する。
【００３５】
こうして、ガイドワイヤーが留置された後、必要に応じて刺入部位に小切開を加えた後、ガイドワイヤーに沿ってダイレーター挿入し、刺入部位を拡張する。続いて、ダイレーターを抜去した後、ドレーンカテーテルをガイドワイヤーに沿って目的部位に留置する。そして、吸引器具を操作することにより、ドレーンカテーテルを介して患者の胸腔内等に生じる排液や気体を除去する。この場合、排液はスリット３３ａ、３３ｂ、先端開口３６、側孔３７から吸引される。そして、ドレーンカテーテル内を通過して吸引器具の貯留容器に吸い込まれる。
【００３６】
＜３．特徴＞
以上のように、本実施形態によれば、カテーテルの先端部が湾曲しているため、軟部組織に先端が突き刺さって穿孔が形成されるのを防止することができる。また、集液部３に複数の流路が形成され、これら流路のそれぞれには外部へ開口するスリット３３ａ，３３ｂ、先端開口３６が形成されているため、１つの開口が軟部組織を吸引して塞がれたとしても、他の開口からの吸引が可能であるため、排液不良及び排気不良を防止することができる。特に、スリット３３ａ，３３ｂはストレート部３１に形成されているため、湾曲部３２に形成される場合に比べ、開口の形状が変化しがたい。すなわち、例えば、湾曲部３２に長手方向に延びる開口が形成されると、湾曲部３２の径が変化するような外力が加わったときに、開口が変形しやすいが、ストレート部３１にスリット３３ａ、３３ｂを形成すると、外力による変形を防止することができるため、安定的な吸引が可能となる。
【００３７】
また、集液部３には各流路３５ａ，３５ｂ，３５ｃを仕切る隔壁３４ａ，３４ｂ，３４ｃが形成されているため、集液部３の外形を内部から補強することができる。したがって、このドレーンカテーテルが折り曲げられたときのキンクを防止することができる。
【００３８】
さらに、湾曲部３２において基端部側を向く内面には、複数の側孔３７が形成されているため、ここからも集液が可能である。特に、これら側孔３７は湾曲部３２の内面に形成され、体内の組織に直接吸着しがたいため、安定的な集液が可能である。より詳細には、図６に示すような湾曲部３２の周方向の領域に側孔を形成することができる。図６は図２のＤ−Ｄ線断面図である。同図に示すように、側孔３７は、湾曲部３２の内面の中心を通る線Ｔを挟む約２７０°（線Ｔの両側に１３５°ずつ）の範囲αに形成することができる。この範囲αが、本発明の内面側に相当する。但し、組織への吸着を抑制するには、この範囲を１８０°以内にすることが好ましく、１２０°以内にすることがさらに好ましい。なお、すべての側孔３７は、上述した約２７０°の範囲α内に形成される必要はなく、少なくとも１つがこの範囲にあればよい。
【００３９】
また、これら側孔３７は概ね円形であればよく、楕円であってもよい。側孔３７をスリット状に形成することもできるが、湾曲部３２が変形したときに、変形しやすくなるため、概ね円形であることが好ましく、このようにすることで、より安定的な集液が可能である。
【００４０】
同様に、ストレート部３１に形成されているスリット３３ａ，３３ｂも湾曲部３２の先端部分と対向する内面側に形成されているため、体内の組織に直接吸着しがたく、安定的な集液が可能である。また、このようなスリットが形成される周方向の範囲も、上述した側孔３７と同様の範囲α、すなわち、図６に示すように、スリット３３ａ，３３ｂは、湾曲部３２の内面の中心を通る線Ｔを挟む約２７０°（線Ｔの両側に１３５°ずつ）の範囲αに形成することができる。この範囲αが、本発明の内面側に相当する。但し、組織への吸着を抑制するには、この範囲を１８０°以内にすることが好ましく、１２０°以内にすることがさらに好ましい。なお、すべてのスリット３３は、上述した約２７０°の範囲α内に形成される必要はなく、少なくとも１つがこの範囲にあればよい。
【００４１】
＜４．変形例＞
以上、本発明の一実施形態について説明したが、本発明は上記実施形態に限定されるものではなく、その趣旨を逸脱しない限りにおいて、種々の変形が可能である。例えば、ドレーンカテーテルは、長手方向に沿った各部分をそれぞれ成形したのちに接合することにより形成してもよいし、一体成形により形成してもよい。
【００４２】
湾曲部３２の構成は、特には限定されず、少なくとも一部が湾曲していればよい。あるいは、図７に示すように、全体が渦巻き状に湾曲していてもよい。
【００４３】
上記実施形態では、第１及び第２流路３５ａ，３５ｂがストレート部３１内で終端しているが、湾曲部３２の内部空間３０と連通するように構成することもできる。このようにすると、例えば、第３流路３５ｃが閉鎖した場合、第１及び第２流路３５ａ，３５ｂを介して、先端開口３６から排液することができる。
【００４４】
また、上記実施形態では、集液部３においてストレート部３１を湾曲部３２と排液部２との間に配置しているが、ストレート部３１の位置は特には限定されない。例えば、図８に示すように、湾曲部３２よりも先端側にストレート部３１を設けてもよい。この場合、湾曲部３２は排液部２と直接連結される。そして、ストレート部３１は上述したように複数の流路３５ａ，３５ｂ，３５ｃを有している、湾曲部３２からストレート部３１にわたっては流路が３つに分岐し、そのうちの１つが先端開口３４まで延びている。残りの２つの流路は周面にスリット３３が形成されるとともに、ストレート部３１の先端部において終端している。
【００４５】
あるいは、図９に示すように、集液部３に２つのストレート部３１ａ，３１ｂを設けることもできる。この例では、湾曲部３２の先端側及び基端側にそれぞれストレート部３１ａ，３１ｂが設けられている。このようにすると、スリットの数が増えるため、さらに効果的な吸液が可能となる。
【００４６】
また、上記実施形態では、ストレート部３１に隔壁３４ａ，３４ｂ，３４ｃが形成されて複数の流路３５ａ，３５ｂ，３５ｃが形成されているが、複数の流路を形成するための隔壁はストレート部３１だけではなく、湾曲部３２に形成することもできる。集液部３において、このような隔壁が形成されている領域が、本発明の分岐領域となる。この場合、上述した側孔やスリットを、隔壁が形成された湾曲部３２に形成することもでき、これらが形成される周方向の範囲は上述したとおりである。さらに、集液部３は、湾曲部３２とストレート部３１とを連結することで形成されているが、湾曲部３２のみで集液部３を構成することもできる。
【００４７】
上記実施形態では、湾曲部３２の内面に円形状の側孔３７を形成しているが、スリット状の側孔を設けることもできる。但し、側孔は必ずしも必要ではなく、設けなくてもよい。
【００４８】
さらに、分岐領域に形成される流路の数は、特には限定されず、隔壁の数を変更することで、２または４以上であってもよい。各流路３５ａ，３５ｂと連通するスリットは１つでなくてもよく、１つの流路に対して複数のスリットが形成されていてもよい。また、ストレート部３１に形成される周面開口は、スリット状でなくてもよく、例えば、複数の小孔を軸方向に並べたり、あるいは、円形、矩形状などの１つの開口で形成することもできる。さらに、ドレーンカテーテルの外周面において、第３流路３５ａと対応する位置に開口を形成することもできる。つまり、第１，第２流路３５ａ，３５ｂに形成されているようなスリット３３ａ，３３ｂやその他の形状（円形、矩形状、楕円状など）の開口を少なくとも一つ形成することもできる。
【００４９】
また、集液部３及び排液部２の内部空間の形状は、必ずしも円形でなくてもよく、図１０に示すように異形であってもよい。この例では、内部空間の内壁面に、断面視で、複数の凹部４１を形成し（この例では３個）、これら凹部４１が軸方向に延びるように形成している。このようにすると、流量に影響する内径断面積を確保しつつ、一部が肉厚になり、排液部が折り曲げられたときのキンクを防止することができる。
【００５０】
上記実施形態では、排液部２を透明、集液部３を透明または白に着色するように形成されているが、これに限定されるものでなく、各部の色は、適宜変更することができる。
【符号の説明】
【００５１】
２  排液部
３  集液部
３１  ストレート部
３２  湾曲部
３３ａ，３３ｂ  スリット（周面開口）
３５ａ  第１流路（副流路）
３５ｂ  第２流路（副流路）
３５ｃ  第３流路（主流路）
３６  先端開口
【図１】
2014200529.tif 000003
【図２】
2014200529.tif 000004
【図３】
2014200529.tif 000005
【図４】
2014200529.tif 000006
【図５】
2014200529.tif 000007
【図６】
2014200529.tif 000008
【図７】
2014200529.tif 000009
【図８】
2014200529.tif 000010
【図９】
2014200529.tif 000011
【図１０】
2014200529.tif 000012